【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
−周期表のＶＩＢ族およびＶＩＩＩ族の元素から形成されたグループから選択した少なくとも１つの脱水素元素、  −１０重量％よりも多く８０重量％以下の量のシリカ（ＳｉＯ２）を含むシリカ・アルミナ・ベースの非ゼオライト担体、  −水銀細孔率測定法で測定して２０〜１４０Åの平均細孔径、  −水銀細孔率測定法で測定して０．１ｍｌ／ｇ〜０．６ｍｌ／ｇの全細孔容積、  −窒素細孔率測定法で測定して０．１ｍｌ／ｇ〜０．６ｍｌ／ｇの全細孔容積、  −１５０〜５００ｍ２／ｇの範囲のＢＥＴ比表面積、  −水銀細孔率測定法で測定して１４０Åよりも大きい径の細孔に含まれる０．１ｍｌ／ｇよりも小さい細孔容積、  −水銀細孔率測定法で測定して１６０Åよりも大きい径の細孔に含まれる０．１ｍｌ／ｇよりも小さい細孔容積、  −水銀細孔率測定法で測定して２００Åよりも大きい径の細孔に含まれる０．１ｍｌ／ｇよりも小さい細孔容積、  −水銀細孔率測定法で測定して５００Åよりも大きい径の細孔に含まれる０．０１ｍｌ／ｇよりも小さい細孔容積、  −水銀細孔率測定法で測定したＤｍｅａｎ−３０ÅとＤｍｅａｎ＋３０Åとの間にある容積Ｖ２の全水銀容積に対する比が、０．６よりも大きく、−水銀細孔率測定法で測定したＤｍｅａｎ＋３０Åよりも大きい径の細孔に含まれる容積Ｖ３が、０．１ｍｌ／ｇよりも小さく、−水銀細孔率測定法で測定したＤｍｅａｎ＋１５Åよりも大きい径の細孔に含まれる容積Ｖ６が、０．２ｍｌ／ｇよりも小さい状態の細孔分布、  −α−，ρ−，χ−，η−，γ−，κ−，θ−およびδ−アルミナからなるグループに含まれる転移アルミナのうち少なくとも１つのアルミナの少なくとも固有スペクトル線を含むＸ線図、を有し、上記非ゼオライト担体が、酸性媒体に部分的に可溶なアルミナ化合物と完全に可溶なシリカ化合物または完全に可溶なアルミナおよび水和シリカの組合せとを混合し、得られた混合物を成形し、次いで、水熱処理または熱処理して得られるものである、炭化水素装入原料の水素化分解法および／または水素化転化法または水素化処理法用の触媒。
【請求項２】
触媒の２７Ａｌの固体ＮＭＲ  ＭＡＳのスペクトル分析によって求めたＡｌＶＩ八面体の割合が、５０％よりも大きいことを特徴とする請求項１記載の触媒。
【請求項３】
ニッケルおよびタングステンをベースとする請求項１または２記載の触媒。
【請求項４】
白金およびパラジウムをベースとする請求項１または２記載の触媒。
【請求項５】
リン、ホウ素およびケイ素から形成されたグループから選択され触媒に被覆された少なくとも１つのドーピング元素を含む請求項１〜４の１つに記載の触媒。
【請求項６】
ＶＩＩＢ族の少なくとも１つの元素を含む請求項１〜５の１つに記載の触媒。
【請求項７】
ＶＢ族の少なくとも１つの元素を含む請求項１〜６の１つに記載の触媒。
【請求項８】
触媒のタッピング充填密度が０．８５ｇ／ｃｍ３である請求項１〜７の１つに記載の触媒。
【請求項９】
１０重量％よりも多く８０重量％以下の量のシリカ（ＳｉＯ２）を含むシリカ・アルミナ・ベースの非ゼオライト担体において、下記、即ち、  −水銀細孔率測定法で測定して２０〜１４０Åの平均細孔径、  −水銀細孔率測定法で測定して０．１ｍｌ／ｇ〜０．６ｍｌ／ｇの全細孔容積、  −窒素細孔率測定法で測定して０．１ｍｌ／ｇ〜０．６ｍｌ／ｇの全細孔容積、  −１５０〜５００ｍ２／ｇの範囲のＢＥＴ比表面積、  −水銀細孔率測定法で測定して１４０Åよりも大きい径の細孔に含まれる０．１ｍｌ／ｇよりも小さい細孔容積、  −水銀細孔率測定法で測定して１６０Åよりも大きい径の細孔に含まれる０．１ｍｌ／ｇよりも小さい細孔容積、  −水銀細孔率測定法で測定して２００Åよりも大きい径の細孔に含まれる０．１ｍｌ／ｇよりも小さい細孔容積、  −水銀細孔率測定法で測定して５００Åよりも大きい径の細孔に含まれる０．０１ｍｌ／ｇよりも小さい細孔容積、  −水銀細孔率測定法で測定したＤｍｅａｎ−３０ÅとＤｍｅａｎ＋３０Åとの間にある容積Ｖ２と全水銀容積との比が、０．６よりも大きく、−水銀細孔率測定法で測定したＤｍｅａｎ＋３０Åよりも大きい径の細孔に含まれる容積Ｖ３が、０．１ｍｌ／ｇよりも小さく、−水銀細孔率測定法で測定したＤｍｅａｎ＋１５Åよりも大きい径の細孔に含まれる容積Ｖ６が、０．２ｍｌ／ｇよりも小さい状態の細孔分布、  −α−，ρ−，χ−，η−，γ−，κ−，θ−およびδ−アルミナからなるグループに含まれる転移アルミナのうち少なくとも１つのアルミナの少なくとも固有スペクトル線を含むＸ線図、を特徴とし、上記非ゼオライト担体が、酸性媒体に部分的に可溶なアルミナ化合物と完全に可溶なシリカ化合物または完全に可溶なアルミナおよび水和シリカの組合せとを混合し、得られた混合物を成形し、次いで、水熱処理または熱処理して得られるものである、炭化水素装入原料の水素化分解法および／または水素化転化法または水素化処理法の触媒用の担体。
【請求項１０】
カチオン不純物含量が、０．１重量％よりも少ないことを特徴とする請求項９の担体。
【請求項１１】
アニオン不純物含量が、０．５重量％よりも少ないことを特徴とする請求項９または１０記載の担体。
【請求項１２】
Ｘ線図が、η−，θ−，δ−およびγ−アルミナからなるグループに含まれる転移アルミナのうちの少なくとも１つのアルミナの少なくとも固有スペクトル線を含むことを特徴とする請求項９〜１１の１つに記載の担体。
【請求項１３】
Ｘ線図が、η−アルミナおよびγ−アルミナからなるグループに含まれる転移アルミナのうちの少なくとも１つのアルミナの少なくとも固有スペクトル線を含むことを特徴とする請求項９〜１２の１つに記載の担体。
【請求項１４】
平均細孔径が、４０〜１２０Åの範囲にある請求項９〜１３の１つに記載の担体。
【請求項１５】
蛍光Ｘ線で測定してグローバルなＳｉ／Ａｌ比よりも小さいまたは大きいＳｉ／Ａｌ比を有する少なくとも２つのシリカ・アルミナ・ゾーンを含む請求項９〜１４の１つに記載の担体。
【請求項１６】
蛍光Ｘ線で測定してグローバルなＳｉ／Ａｌ比であって２．３よりも小さいＳｉ／Ａｌ比を有する少なくとも唯一つのシリカ・アルミナ・ゾーンを含む請求項９〜１５の１つに記載の担体。
【請求項１７】
焼成後のタッピング充填密度が０．６５ｇ／ｃｍ３である、請求項９〜１６の１つに記載の担体。
【請求項１８】
Ｂ／Ｌ比が０．０５〜１である、連続ＩＲで測定したピリジン熱脱着の酸度を有する請求項９〜１７の１つに記載の担体。
【請求項１９】
請求項１〜８の１つに記載の触媒または請求項９〜１８の１つに記載の担体を含む触媒を使用する、炭化水素装入原料の水素化分解法および／または水素化転化法。
【請求項２０】
１工程法に基づき実施する請求項１９の水素化分解法および／または水素化転化法。
【請求項２１】
−標準活性テストにおいて１０重量％よりも少ないメチルシクロヘキサン転化率を有する少なくとも１つの水素化分解触媒と装入原料を接触させる水素化精製第１反応ゾーンと、  −標準活性テストにおいて１０重量％よりも高いメチルシクロヘキサン転化率を有する少なくとも１つの非ゼオライト水素化分解触媒と、水素化精製工程から来る排出液の少なくとも一部を接触させる水素化分解第２反応ゾーンとを含み、  −および、水素化精製触媒の触媒容積割合が、全触媒容積の２０〜４５％であることを特徴とする請求項２０の水素化分解法および／または水素化転化法。
【請求項２２】
少なくとも１つの水素化精製第１反応ゾーンと、第１ゾーンの排出液の少なくとも一部を水素化分解し、第１ゾーンから出る排出液のアンモニアを不完全に分離する少なくとも１つの第２反応ゾーンとを含む請求項１９の水素化分解法および／または水素化転化法。
【請求項２３】
２工程法の請求項１９の水素化分解法および／または水素化転化法。
【請求項２４】
水素の存在下、２００℃よりも高い温度、１ＭＰａよりも高い圧力、０．１〜２０ｈ−１の範囲の空間速度および水素容積（リットル）／炭化水素容積（リットル）・比が８０〜５０００リットル／リットルになる水素導入量において操作する請求項１９〜２３の１つに記載の方法。
【請求項２５】
２０〜６０ｂａｒの範囲の圧力において操作し、４０％よりも低い転化率を生ずる請求項１９〜２４の１つに記載の水素化分解法および／または水素化転化法。
【請求項２６】
固定床において操作する請求項１９〜２５の１つに記載の方法。
【請求項２７】
沸騰床において操作する請求項１９〜２５の１つに記載の方法。
【請求項２８】
触媒が、ＶＩＩＩ族の少なくとも１つの貴金属元素をベースとすることを特徴とする請求項２３の方法。
【請求項２９】
触媒が、白金およびパラジウムをベースとすることを特徴とする請求項２８の方法。
【請求項３０】
請求項１〜８の１つに記載の触媒または請求項９〜１８の１つに記載の担体を含む触媒を使用する、炭化水素装入原料の水素化処理法。
【請求項３１】
水素化分解法の上流に置かれた請求項３０の方法。
【請求項３２】
水素化分解触媒が、ゼオライトをベースとすることを特徴とする請求項３１の方法。
【請求項３３】
水素化分解触媒が、シリカ・アルミナをベースとすることを特徴とする請求項３１の方法。
【請求項３４】
水素化分解触媒が、ニッケルおよびタングステンをベースとすることを特徴とする請求項１９〜３３の１つに記載の方法。
【請求項３５】
ＬＣＯ（ｌｉｇｈｔ  ｃｙｃｌｅ  ｏｉｌ）、大気圧蒸留物、真空下蒸留物、潤滑油ベースの芳香族抽出ユニットから来るまたは潤滑油ベースの溶媒脱ろうから生ずる成分またはＲＡＴ（大気圧蒸留残渣）および／またはＲＳＶ（真空下蒸留残渣）および／または脱ろうオイルの固定床または沸騰床における脱硫法または水素化転化法から生ずる蒸留物、脱ろうオイルまたは上記装入原料の混合物から炭化水素装入原料を選択したことを特徴とする請求項１９〜３４の１つに記載の方法。